(57)【要約】【課題】  耳掛け部を有するテンプルを使用しないタイプの、着脱が容易、軽量、かつ経済的な粘着固定方式の眼鏡を提供する。【解決手段】  一対のレンズを有する眼鏡本体部と前記眼鏡本体部に配設された鼻当て部からなる眼鏡であって、かつ、耳掛け部を持たない眼鏡において、前記鼻当て部の皮膚当接側に、眼鏡装着用の粘着固定部を有することを特徴とする粘着固定式眼鏡。【選択図】  図１
2006162908.tif 000002
【特許請求の範囲】
【請求項１】
一対のレンズを有する眼鏡本体部と前記眼鏡本体部に配設された鼻当て部からなる眼鏡であって、かつ、耳掛け部を持たない眼鏡において、前記鼻当て部の皮膚当接側に、眼鏡装着用の粘着固定部を有することを特徴とする粘着固定式眼鏡。
【請求項２】
眼鏡装着用の粘着固定部が、鼻当て部の内側から皮膚方向にみて、クッション材層及び／又は粘着材層からなるものである請求項１に記載の粘着固定式眼鏡。
【請求項３】
眼鏡装着用の粘着固定部が、一対の鼻当て部に誇設されたものである請求項２に記載の粘着固定式眼鏡。
【請求項４】
一対のレンズを有する眼鏡本体部、前記眼鏡本体部に配設された鼻当て部、及び、前記眼鏡本体部に配設された耳掛け部を持たない略こめかみの部位まで延在するテンプル部からなる眼鏡において、前記テンプル部のこめかみ側端部の皮膚当接側に眼鏡装着用の粘着固定部を有することを特徴とする粘着固定式眼鏡。
【請求項５】
眼鏡装着用の粘着固定部が、テンプル部の内側から皮膚方向にみて、クッション材層及び／又は粘着材層からなるものである請求項４に記載の粘着固定式眼鏡。
【請求項６】
テンプル部のこめかみ側端部が、幅広に形成されたものである請求項４に記載の粘着固定式眼鏡。
【請求項７】
眼鏡装着用の粘着固定部が、テンプル部のこめかみ側端部の皮膚当接側に配設されるとともに鼻当て部の皮膚当接側に配設されたものである請求項４に記載の粘着固定式眼鏡。
【請求項８】
眼鏡装着用の粘着固定部が、テンプル部及び鼻当て部の内側から皮膚方向にみて、クッション材層及び／又は粘着材層からなるものである請求項７に記載の粘着固定式眼鏡。
【発明の詳細な説明】
【技術分野】
【０００１】
本発明は、着脱が容易でありかつ軽量な眼鏡（一般の視力矯正用はもとよりサングラスや素透し及び絵あるいはキャラクターのかかれた娯楽用グラスなどを含む。）に関する。
更に詳しくは、本発明は、従来の耳掛け部による眼鏡固定方式を皮膚粘着方式に代えた着脱が容易、軽量、かつ、一時的な装着使用に便利な粘着固定式眼鏡に関する。
【従来技術】
【０００２】
従来より眼鏡の装着固定方式としては、例えば特開平１１−１０９２９２号公報には鼻をクリップで挟むような感じで使用する鼻メガネ（フィンチタイプ）が提案されている。
【０００３】
また、耳掛け部を有するテンプルを眼鏡本体部に配設した従来一般の眼鏡において、例えば特開平１１−３２６８４２号公報や特開２００２−１５６６０９号公報には特に鼻の痛みや鼻への装着跡を解消するために鼻当て部を省略したタイプの眼鏡が提案されている。
【０００４】
しかしこれらの眼鏡においては、鼻メガネ（フィンチタイプ）では鼻が挟圧されるために痛みがあり長時間の使用に耐えない。また、耳掛け部を有するものにおいては、耳に違和感、耳の痛み、耳に対する重さからくる違和感、嵩張りなどの問題点がある。
【０００５】
なお、耳掛け部を有するテンプルをメガネ本体部に配設した従来一般の眼鏡において、鼻当て部による跡つきを解消するために、鼻当て部の皮膚当接面側にスポンジ（クッション材）を配設したものが、特開平９−１９７３４８号公報に提案されている。
この提案は、前記したように鼻当て部による跡つきを解消しようとするものであり、後述する本発明とは関係がないものである。
【特許文献１】特開平０９−１０９２９２号公報
【特許文献２】特開平１１−３２６８４２号公報
【特許文献３】特開平２００２−１５６６０９号公報
【特許文献４】特開平０９−１９７３４８号公報
【発明の開示】
【発明が解決しようとする課題】
【０００６】
本発明は、前記した従来の眼鏡の欠点を解消するために創案されたものである。
本発明は、従来の耳掛け部による眼鏡固定方式を皮膚粘着方式に代えることにより、装着や脱着が容易であり、軽量であり、また一時的にかつ頻繁に使用する上で便利な粘着固定式の眼鏡を提供しようとするものである。
【課題を解決するための手段】
【０００７】
本発明を概説すれば、本発明の第１の発明は、一対のレンズを有する眼鏡本体部と前記眼鏡本体部に配設された鼻当て部からなる眼鏡であって、かつ、耳掛け部を持たない眼鏡において、前記鼻当て部の皮膚当接側に、眼鏡装着用の粘着固定部を有することを特徴とする粘着固定式眼鏡に関するものである。
【０００８】
また、本発明の第２の発明は、一対のレンズを有する眼鏡本体部、前記眼鏡本体部に配設された鼻当て部、及び、前記眼鏡本体部に配設された耳掛け部を持たない略こめかみの部位まで延在するテンプル部からなる眼鏡において、前記テンプル部のこめかみ側端部の皮膚当接側に眼鏡装着用の粘着固定部を有することを特徴とする粘着固定式眼鏡に関するものである。
【発明の効果】
【０００９】
本発明により、従来の耳掛け部による眼鏡固定方式の眼鏡にない優れた眼鏡が提供される。
特に、本発明は、従来の耳掛け部による眼鏡固定方式を粘着固定方式に代えることにより、装着や脱着が容易であり、軽量であり、また一時的にかつ頻繁に使用する上で便利な粘着固定式の眼鏡が提供される。
更にまた、本発明の眼鏡は、従来の耳掛け部を有するテンプルがないためコンパクトで、かつ経済的である。
【発明を実施するための最良の形態】
【００１０】
以下、本発明の技術的構成及び実施態様について、図面を参照して詳しく説明する。
なお、本発明は、図面及び実施態様のものに限定されないことはいうまでもないことである。
【実施例１】
【００１１】
図１〜図３は、本発明の第１実施態様の粘着固定式眼鏡（Ｘ）を説明する図である。図１は全体斜視図、図２は図１のI−I線断面図、図３は眼鏡の鼻当て部の部位の平面（上面）である。
【００１２】
図１に示されるように、本発明の第１実施態様の粘着固定式眼鏡（Ｘ）は、概略的な構造としては、従来の端部に耳掛け部を持つテンプルを有する眼鏡から該テンプルを排除した形状構造のものである。
図１に示されるように、本発明の第１実施態様の粘着固定式眼鏡（Ｘ）は、大きな構成要素としては、左右のレンズ（１１、１２）と前記左右レンズを固定するフレーム（１３）からなる眼鏡本体部（１）、前記眼鏡本体部（１）に配設された左右の鼻当て片（２１、２２）からなる鼻あて部（２）、から構成される。
図１において、フレーム（１３）の一部として二本のブリッジ（１４、１５）が示されている。
また、図１において、前記鼻当て部（２）の皮膚当接面側に、眼鏡装着用の粘着固定部（Ａ）が配設されている。
【００１３】
前記粘着固定部（Ａ）は、図２〜図３に示されているように、鼻当て部（２）の内側から皮膚方向にみて、クッション材層（Ａ１）と粘着材層（Ａ２）から構成される。
本発明において、前記クッション材層（Ａ１）としては、多孔質発泡体（スポンジ）など緩衝能のある材料であれば材質を問わない。また、クッション材層（Ａ１）と鼻当て部（２）との接合は、接着等所望の接合、接着態様で行えばよい。
なお、本発明においては、前記クッション材層（Ａ１）を省略することもできるが、緩衝性の観点からクッション材層（Ａ１）を配設することが好ましい。
【００１４】
本発明において、前記粘着材層（Ａ２）としては鼻（皮膚）に対して所望の粘着力、接着力を有するもので構成すればよい。いうまでもないことであるが、本発明の眼鏡は着脱がスムーズにいくように、かつ、脱着時に皮膚をいためないようにするために強力な接着力を有するものは避けるべきであり、適度の接着力、粘着力を発揮するものが好ましい。
この種の粘着材層（Ａ２）としては、従来公知の接着剤、粘着材などを適用することができ、例えばアクリル系のエマルジョンタイプまたは溶剤型タイプの粘着材、ウレタン系、シリコーン系の粘着材など人体用として実績のある公知のものを使用すればよい。
また、クッション材層（Ａ１）と粘着材層（Ａ２）の接合は、所望の接合、接着態様で行えばよく、例えば粘着材層（Ａ２）として、両面接着型のものを用いて両部材を接合すればよい。
【００１５】
本発明の第１実施態様の鼻当て部（２）を利用した粘着固定式眼鏡（Ｘ）は、従来の耳掛け部を有するテンプル部を排除することができるため、軽量、コンパクト化を図ることができる。
本発明において、レンズ部がプラスチックレンズで構成される軽量眼鏡においては、十分に眼鏡を保持することができる。また、レンズ部がガラス製の比較的重い眼鏡であっても粘着材層（Ａ２）に所望の粘着力を有するものを選択することにより十分に眼鏡を保持することができる。
【実施例２】
【００１６】
図４〜図５は、本発明の第２実施態様の粘着固定式眼鏡（Ｘ）を説明する図である。図４は全体斜視図、図５は図４のII−II線断面図である。
本発明の第２実施態様の粘着固定式眼鏡（Ｘ）は、前記第１実施態様の粘着固定式眼鏡（Ｘ）と比較して大きく異なる点は、フレーム（１３）の左右両端部に耳掛け部を持たないテンプル（１６）であって、その長さが略こめかみの部位や耳の前部まで延在するテンプル（１６）を配設している点である。
【００１７】
そして、本発明の第２実施態様の粘着固定式眼鏡（Ｘ）は、眼鏡を安全に保持し、かつ、眼鏡の脱着が便利なように、前記テンプル（１６）の端部（１６１）に粘着固定部（Ａ）を配設している点に特徴がある。
本発明において、前記粘着固定部（Ａ）の構成は、前記第１実施態様と同様に、クッション材層（Ａ１）と粘着材層（Ａ２）から構成される（図５参照）。
なお、本発明においては、図４に示されるように前記テンプル（１６）の端部（１６１）を幅広のものに構成してもよい。この場合、前記幅広の端部（１６１）に粘着面積の大きな粘着固定部（Ａ）を配設することにより、粘着力を大きくすることができるため、眼鏡を安定かつ長時間にわたり保持することができる。
なお、本発明において、粘着固定部（Ａ）は、テンプル（１６）のほかの部位にも配設してもよいことはいうまでもないことである。
【実施例３】
【００１８】
図６〜図７は、本発明の第３実施態様の粘着固定式眼鏡（Ｘ）を説明する図である。図６は全体斜視図、図７は図６の鼻当て部（２）と粘着固定部（Ａ）の拡大図である。
なお、図７において、参照符号（２３）は、鼻当て部（２）を眼鏡フレーム（１３）に配設する為のクリングス（接続具）である。
本発明の第３実施態様の粘着固定式眼鏡（Ｘ）は、前記第１実施態様の粘着固定式眼鏡（Ｘ）と比較して大きく異なる点は、フレーム（１３）の左右両側に耳掛け部を持たないテンプル（１６）を配設している点（この点は第２実施態様と同じである。）、及び、前記テンプル（１６）の端部（１６１）と鼻当て部（２）の両者に粘着固定部（Ａ）を配設している点（この点は第１実施態様と同じである。）である。
本発明において、粘着固定部（Ａ）のクッション材層（Ａ１）及び粘着材層（Ａ２）は、前記した実施態様のものと同様に構成すればよい。
【００１９】
本発明の第３実施態様の粘着固定式眼鏡（Ｘ）においては、前記したようにテンプル（１６）の端部（１６１）と鼻当て部（２）の両者に粘着固定部（Ａ）を配設しているため、眼鏡を安全かつ長時間にわたり違和感なく保持することができる。
【図面の簡単な説明】
【００２０】
【図１】本発明の第１実施態様の粘着固定式眼鏡（Ｘ）の斜視図である。
【図２】図１のI−I線断面図である。
【図３】図１の鼻当て部（２）近傍の平面図である。
【図４】本発明の第２実施態様の粘着固定式眼鏡（Ｘ）の斜視図である。
【図５】図４のII−II線断面図である。
【図６】本発明の第３実施態様の粘着固定式眼鏡（Ｘ）の斜視図である。
【図７】図６の鼻当て部（２）及び粘着固定部（Ａ）の拡大図である。
【符号の説明】
【００２１】
Ｘ  …………  粘着固定式眼鏡
１  …………  眼鏡本体部
１１、１２  …………  レンズ
１３  …………  （メガネ）フレーム
１４、１５  …………  ブリッジ
１６  …………  テンプル
１６１  …………  テンプル端部
Ａ  …………  粘着固定部
Ａ１  …………  クッション材層
Ａ２  …………  粘着材層
【図１】
2006162908.tif 000003
【図２】
2006162908.tif 000004
【図３】
2006162908.tif 000005
【図４】
2006162908.tif 000006
【図５】
2006162908.tif 000007
【図６】
2006162908.tif 000008
【図７】
2006162908.tif 000009